(57)【要約】【課題】隠しカメラを用いた暗証番号等の盗撮を防止する。【解決手段】暗証番号入力装置３にカバー５を設置し、カバーに盗撮防止用の可動部材１４を回動自在に設け、可動部材をカバーの内面に沿って位置させた。可動部材１４は筒状部材であり、筒状部材を小径な軸部１５で遊動自在に支持した。可動部材１４を透明に形成した。カバー５の正面壁６の上側に入力用の目視窓１０、正面壁の下側に手を挿入する操作窓１１をそれぞれ設け、正面壁の内側に可動部材１４を位置させた。可動部材１４の動きを検知するセンサを設けた。【選択図】図１
2006146697.tif 000002
【特許請求の範囲】
【請求項１】
暗証番号入力装置にカバーが設置され、該カバーに盗撮防止用の可動部材が回動自在に設けられ、該可動部材が該カバーの内面に沿って位置することを特徴とする暗証番号入力装置の盗み見防止構造。
【請求項２】
前記可動部材が筒状部材であり、該筒状部材が小径な軸部で遊動自在に支持されたことを特徴とする請求項１記載の暗証番号入力装置の盗み見防止構造。
【請求項３】
前記可動部材が透明に形成されたことを特徴とする請求項１又は２記載の暗証番号入力装置の盗み見防止構造。
【請求項４】
前記カバーの正面壁の上側に入力用の目視窓、該正面壁の下側に手を挿入する操作窓がそれぞれ設けられ、該正面壁の内側に前記可動部材が位置することを特徴とする請求項１〜３の何れかに記載の暗証番号入力装置の盗み見防止構造。
【請求項５】
前記可動部材の動きを検知するセンサが設けられたことを特徴とする請求項１〜４の何れかに記載の暗証番号入力装置の盗み見防止構造。
【発明の詳細な説明】
【技術分野】
【０００１】
本発明は、例えばロッカ装置等において、キー操作で暗証番号等を入力する際に、隠しカメラで番号を盗撮されないようにした暗証番号入力装置の盗み見防止構造に関するものである。
【背景技術】
【０００２】
図５は従来の暗証番号入力装置の盗み見防止構造の一形態を示すものである（特許文献１参照）。
【０００３】
この暗証番号入力装置３１は、装置本体３２の表面に複数列のキー（テンキー）３３を有すると共に、キー３３を覆うようにカバー３４を有して、暗証番号の入力操作を外部の者に見られないように行うことができるものである。
【０００４】
この暗証番号入力装置３１は、クレジットカード等を用いて買い物をする場合に使用されるものであるが、このようなカバー３４を用いた盗み見防止構造は、決済用の入力装置に限らず、荷物や財布等を預けるロッカやボックス等（以下ロッカ装置という）においても適用されている。
【０００５】
これらロッカ装置は例えばロッカ番号と暗証番号を入力することで、鍵を使わずに電気錠を自動解錠して扉を開けることができるものであり、例えばゴルフ場や各種スポーツクラブやサウナ等に設置されている。
【特許文献１】特開２００１−３２５６６５号公報（第３頁、図１）
【発明の開示】
【発明が解決しようとする課題】
【０００６】
しかしながら、上記従来の暗証番号入力装置の盗み見防止構造にあっては、例えばカバーの裏側に小さな隠しカメラが設置された場合に、暗証番号の入力操作が隠しカメラで盗撮され、その映像が電波操作等で離れた場所のモニターに映し出され、暗証番号を盗み見た犯罪者がそのロッカの番号や暗証番号を入力してロッカ等の扉を開けて内部の財布等を盗み出すという犯罪に対して無力であった。
【０００７】
本発明は、上記した点に鑑み、隠しカメラを用いた暗証番号等の盗撮を防止することができる暗証番号入力装置の盗み見防止構造を提供することを目的とする。
【課題を解決するための手段】
【０００８】
上記目的を達成するために、本発明の請求項１に係る暗証番号入力装置の盗み見防止構造は、暗証番号入力装置にカバーが設置され、該カバーに盗撮防止用の可動部材が回動自在に設けられ、該可動部材が該カバーの内面に沿って位置することを特徴とする。
【０００９】
上記構成により、可動部材が自由状態でカバーの内面に沿って位置し、カバー内面側のスペースを占有して、カバーの内面への隠しカメラの設置を阻止する。動部材が回動自在であるから、たとえ可動部材に隠しカメラを固定したとしても、暗証番号のキー入力操作に際して可動部材が隠しカメラの自重や操作者の手に接触することで回動され、隠しカメラの視界（視点）が位置ずれして、暗証番号の盗撮ができなくなる。
【００１０】
あるいは、可動部材が回動状態でカバーの内面に沿って位置して、カバー内面に設置された隠しカメラを覆ってカメラの視界を遮り、盗撮できなくしたり、可動部材が隠しカメラに干渉して、可動部材のそれ以上の回動が阻止され、使用者等に異常を喚起させる。前者の場合は、回動部材として筒状部材を用い、後者の場合は、回動部材として不透明な筒状部材やシャッタ部材を用いることが好ましい。
【００１１】
請求項２に係る暗証番号入力装置の盗み見防止構造は、請求項１記載の暗証番号入力装置の盗み見防止構造において、前記可動部材が筒状部材であり、該筒状部材が小径な軸部で遊動自在に支持されたことを特徴とする。
【００１２】
上記構成により、暗証番号のキー入力操作のために手を筒状部材の下面に沿ってカバー内に挿入すると同時に、筒状部材が自重に抗して上向きに遊動して、キー入力操作を操作性良く容易に行うことができるようになる。筒状部材は上向きに遊動しつつカバーの内面に当接する。ここで、カバーの内面に隠しカメラが設置されている場合には、筒状部材が隠しカメラに干渉してそれ以上の筒状部材の上昇が阻止され、使用者（入力操作者）が異常に気づいて、隠しカメラの存在が露呈される。
【００１３】
請求項３に係る暗証番号入力装置の盗み見防止構造は、請求項１又は２記載の暗証番号入力装置の盗み見防止構造において、前記可動部材が透明に形成されたことを特徴とする。
【００１４】
上記構成により、使用者や管理者が可動部材を透過して目視でカバー内の隠しカメラを発見することができる。また、使用者が可動部材を透過して暗証番号入力装置のキーを目視することができる。
【００１５】
請求項４に係る暗証番号入力装置の盗み見防止構造は、請求項１〜３の何れかに記載の暗証番号入力装置の盗み見防止構造において、前記カバーの正面壁の上側に入力用の目視窓、該正面壁の下側に手を挿入する操作窓がそれぞれ設けられ、該正面壁の内側に前記可動部材が位置することを特徴とする。
【００１６】
上記構成により、上側の目視窓から暗証番号入力装置のキーを目視しつつ、下側の操作窓から手を挿入してキーを操作する。カバーの正面壁の内面への隠しカメラの設置を請求項１〜３記載の発明の作用で防止したり検出することができる。また、使用者は透明な可動部材を透過して目視窓からキーを確実に目視できると共に、遊動自在な可動部材を手の甲で軽く押し上げてキー操作を確実に行うことができる。
【００１７】
請求項５に係る暗証番号入力装置の盗み見防止構造は、請求項１〜４の何れかに記載の暗証番号入力装置の盗み見防止構造において、前記可動部材の動きを検知するセンサが設けられたことを特徴とする。
【００１８】
上記構成により、可動部材の回動や遊動の有無がセンサで検知され、回動や遊動がない場合に、例えば可動部材が固定されて隠しカメラが可動部材やカバー内面に設置されたことが検出される。
【発明の効果】
【００１９】
以上の如く、請求項１記載の発明によれば、可動部材がカバーの内面への隠しカメラの設置を阻止したり、あるいは可動部材が回動して、カバー内面に設置された隠しカメラの視界を遮ったりずらしたり、あるいは隠しカメラに干渉して隠しカメラの存在を検知させたりすることで、暗証番号等の盗み見が確実に防止され、ロッカ等の不正な解錠やそれによる盗難が確実に防止され、ロッカ装置等の安全性や信頼性が向上する。
【００２０】
請求項２記載の発明によれば、筒状部材が遊動するから、キー入力操作の邪魔にならずに入力操作を容易に行うことができると共に、遊動した筒状部材が隠しカメラに干渉することで、隠しカメラを容易に発見することができる。
【００２１】
請求項３記載の発明によれば、カバー内や可動部材に設けた隠しカメラを透明な可動部材を通して容易に発見することができると共に、可動部材に視界を遮られることなく、暗証番号の入力操作を容易に行うことができる。
【００２２】
請求項４記載の発明によれば、目視窓から暗証番号入力装置のキーを目視しつつ、操作窓から手を挿入してキーを操作するに際して、カバーの正面壁の内面への隠しカメラの設置を請求項１〜３記載の発明の作用効果で防止したり検出することができる。
【００２３】
請求項５記載の発明によれば、回動部材の機能の低下をセンサの検知で防止することができるから、隠しカメラによる盗撮を精度良く防止することができる。
【発明を実施するための最良の形態】
【００２４】
図１，図２は、本発明に係る暗証番号入力装置の盗み見防止構造の一実施形態を備えたロッカ装置を示し、図３，図４は同じく暗証番号入力装置の盗み見防止構造の要部を示すものである。
【００２５】
図１，図２の如く、ロッカ装置１は複数の収容部とその扉２を上下左右に複数列に有し、ロッカ装置１のほぼ中央に暗証番号入力装置３が設置され、暗証番号入力装置３は上側の傾斜面にテンキー４を有すると共に、外部に突出した湾曲状のカバー５で外側を覆われて、外部の者からロッカ番号や暗証番号等の入力操作が見えないようになっている。このロッカ装置１はフリーボックスとも呼称される。
【００２６】
図３，図４の如く、カバー５は金属板を材料として、縦断面円弧状に湾曲した正面壁６と、正面壁６に続く左右両側の垂直な略半円状の側壁７と、両側壁７に続く後側の略三角形状の大きな側壁８と、大きな側壁８に交差して傾斜状に続く背壁９とを一体に備えており、正面壁６の上側において背壁９との間に目視窓（開口）１０を有し、正面壁６の下側において手を進入させる操作窓（開口）１１を有している。
【００２７】
図１，図４の如く、正面壁６の上縁１２は両側壁７に沿って後側の側壁８まで延長され、正面壁６の下縁１３は略円弧状に湾曲して両側壁７の下部に続いており、正面壁６は両側壁７にかけて末広がりに形成され、正面から上下方向に暗証番号入力装置３を覆っている。なお、カバー５は不透明な合成樹脂材で形成されていてもよい。
【００２８】
図３，図４の如く、カバー５の正面壁６の裏側のスペースに隠しカメラ（図示せず）を設置できないように、正面壁６の断面円弧状の内面６ａに沿って筒状部材（可動部材）１４が細径の軸部１５で遊動自在に支持されつつ回動自在に配設されている。筒状部材１４によって正面壁６の裏側の隠しカメラを設置するスペースが殆どなくなっている。
【００２９】
図３の如く、筒状部材１４は透明な合成樹脂を材料として中空の円筒状に形成され、筒状部材１４の外径はカバー５の正面壁６の屈曲半径と同程度又はそれよりも小さく設定され、筒状部材１４の長さはカバー５の横幅よりも少し短く設定され、筒状部材１４の肉厚は薄目に設定されている。
【００３０】
軸部１５は金属棒で形成され、軸部１５の長さはカバー５の正面壁６の横幅と同程度に設定され、軸部１５の一端はカバー５の一方の側壁７に、軸部１５の他端は他方の側壁７にそれぞれ小ねじ１６（図４）で固定されている。なお、軸部１５は中空のものでもよく、端部の固定手段は小ねじ１６に限らず加締や溶接等であってもよい。
【００３１】
軸部１５の外径は筒状部材１４の内径に較べて格段に小さく設定され、軸部１５が筒状部材１４の内径側の円形の空間１７に水平に挿通され、軸部１５は正面壁６の近傍において正面壁６と平行に位置し、筒状部材１４が軸部１５を支点として上下に遊動自在且つ回動自在となっている。
【００３２】
なお、軸部１５の位置を図３の正面壁６の近傍から後方ないし下方にやや離間した位置に設定することも可能である。この場合においても、後述の筒状部材１４の持ち上げ操作で正面壁６の裏側のスペースに隠しカメラが有るか否かを容易に確認することができる。
【００３３】
また、軸部１５は必ずしも筒状部材１４を長手方向に貫通している必要はなく、例えば左右一対の短い軸部（図示せず）をカバー５の両側壁７に固定し、一対の軸部で筒状部材１４を回動自在且つ遊動自在に支持することも可能である。この場合、各軸部の長さは、筒状部材１４が斜めになった場合でも軸部から外れない長さに設定する。
【００３４】
図３の自由状態において筒状部材１４は自重で下がり、且つ筒状部材１４の外周面が正面壁６の内面６ａに接して、隠しカメラの設置スペースをなくしている。筒状部材１４の下端と暗証番号入力装置３との間には手（掌）が入るか入らない位の隙間１８があるが、使用者が手を隙間１８に挿入することで、筒状部材１４が手の甲で持ち上げられ、手の挿入を容易に許容し、それと同時に筒状部材１４の外周面が正面壁６の内面６ａに当接する。
【００３５】
ここで、万一、正面壁６の内面６ａに薄型の隠しカメラが設置されている場合は、筒状部材１４の外周面が隠しカメラに干渉し、筒状部材１４がそれ以上持ち上がらず、隙間１８が狭められて、手を挿入し難くなるか、手を挿入することができなくなる。これにより、使用者が異常を感じ、カバー５の内側を目視確認したり、係の者に連絡する等して、隠しカメラの存在が露呈される。
【００３６】
あるいは、図３の状態で、筒状部材１４の下側の隙間１８を手が楽に入る位に広く設定しておき、軸部１５を正面壁６の近傍に配置し、軸部１５と正面壁６との間に薄型の隠しカメラの設置スペースを全く許容しないように筒状部材１４を配置することも有効である。この場合も筒状部材１４は軸部１５に沿って回動自在とする。
【００３７】
正常な状態で、使用者は透明な筒状部材１４を通して（透過して）暗証番号入力装置３のキー４を目視することができるから、筒状部材１４によって暗証番号やロッカ番号の入力操作が邪魔されることはない。
【００３８】
また、筒状部材１４は透明であるから、たとえ隠しカメラを正面壁６の内面６ａや筒状部材１４の外面に貼り付けたとしても、使用者や管理者が容易に隠しカメラを目視で発見することができ、盗撮が未然に防止される。
【００３９】
なお、カバー５の上側の窓部１０を通して全てのキー４を筒状部材１４に掛かることなく目視することができる場合（キー４と使用者の目との間に筒状部材１４が位置しない場合）は、筒状部材１４を透明ではなく不透明な色の合成樹脂材で形成することも可能である。その場合、筒状部材１４を合成樹脂ではなく金属等で形成することも可能である。
【００４０】
これらの場合でも、図３において、犯罪者が隠しカメラを筒状部材１４の外周面に貼り付けた場合は、使用者が筒状部材１４の下側の隙間１８に手を挿入すると同時に、筒状部材１４が回動して、隠しカメラの位置が後向き又は上向きに移動し、カメラの撮影方向を一定に維持できないから、入力キー４を隠しカメラで捉えることができず、暗証番号を盗み見ることができない。ここで「後向き」とは使用者とは反対側を言う。なお、筒状部材１４の左右両端はカバー５の両側壁７の内面に近接しているから、筒状部材１４の内側に隠しカメラを設置することは極めて困難である。
【００４１】
また、隠しカメラを筒状部材１４の上部にセットして入力キー４を盗撮しようとした場合は、隠しカメラの自重で筒状部材１４が回動し、隠しカメラが下側に移動して、隠しカメラの視点が、斜め後方の入力装置３から外れるので、キー４を盗撮することはできない。筒状部材１４を不透明とした場合でも、キー操作に際して手を挿入した際に、筒状部材１４が持ち上げられて隠しカメラに干渉して異常が検知されることは前述の通りである。
【００４２】
また、犯罪者が筒状部材１４を回動不能に固定し、その状態で隠しカメラを筒状部材１４等に取り付ける場合に対処して、筒状部材１４の移動（回動や遊動等）の有無を検出するマイクロスイッチ等のセンサ（図示せず）を正面壁６や側壁７に取り付けて、筒状部材１４が正常に動作することを確認することも有効である。
【００４３】
正規の状態で、使用者がキー４を操作してロッカ番号と暗証番号を入力することで、図１のロッカ装置１の所定の収容部の電気錠（図示せず）が自動解錠され、使用者はその扉２を開けて、収容部から財布や書類や荷物等を取り出すことができる。電気錠はソレノイドのオンオフで施解錠される既存のものである。カバー５は図４の形態で一体化されており、図３のロッカ装置１のフレーム２０にねじ等で固定される。
【００４４】
図３で、暗証番号入力装置３は装置本体１９の上側にテンキー４を有し、装置本体１９の内側に図示しない制御部（制御基板）を有し、制御部は、キー操作で入力されたロッカ番号や暗証番号の記憶や照合を行い、予め入力された番号と一致する場合に、電気錠を解錠させる。
【００４５】
なお、上記実施形態においては、円筒形の筒状部材１４を用いたが、筒状部材として楕円形や矩形状や三角形状といった多角形状のもの（図示せず）を用いることも可能である。
【００４６】
また、上記実施形態の筒状部材１４に代えて、シャッタ部材（図示しない可動部材）を正面壁６の下端に軸部（図示せず）を介して開閉（回動）自在に設け、使用者がシャッタ部材を押して手をキー上に進入させ、それと同時にシャッタ部材が上向きに回動してカバー５の正面壁６の内面側のスペースを占有し、正面壁６の裏側の隠しカメラに干渉して異常を検出するようにしてもよい。
【００４７】
この場合、シャッタ部材の形状は、扇状や円筒状や三角形状等、種々の形状とすることができる。また、シャッタ部材は透明であることが、隠しカメラの目視での発見性向上の上からは好ましいが、不透明とした場合には、シャッタ部材が正面壁６の内側の隠しカメラを下側から覆ってカメラの視界を遮り、キー操作を盗撮させなくする。
【００４８】
また、犯罪者がシャッタ部材の裏側に隠しカメラを貼り付けた場合でも、シャッタ部材が回動することで、隠しカメラが前ないし上を向くように移動するから、キー操作を盗撮することができない。
【００４９】
また、上記実施形態の盗み見防止構造は、ロッカ装置１の暗証番号入力装置３に適用したが、必ずしもロッカ装置１に限られるものではなく、例えば決算用等の暗証番号入力装置等（図示せず）に上記盗み見防止構造を適用することも可能である。
【図面の簡単な説明】
【００５０】
【図１】本発明に係る暗証番号入力装置の盗み見防止構造の一実施形態を備えたロッカ装置を示す正面図である。
【図２】同じくロッカ装置を示す一部を断面とした側面図である。
【図３】暗証番号入力装置の盗み見防止構造の一実施形態を示す縦断面図である。
【図４】同じく暗証番号入力装置の盗み見防止構造を示す斜視図である。
【図５】従来の暗証番号入力装置の盗み見防止構造の一形態を示す斜視図である。
【符号の説明】
【００５１】
３    暗証番号入力装置
５    カバー
６    正面壁
１０  目視窓
１１  操作窓
１４  筒状部材（可動部材）
１５  軸部
【図１】
2006146697.tif 000003
【図２】
2006146697.tif 000004
【図３】
2006146697.tif 000005
【図４】
2006146697.tif 000006
【図５】
2006146697.tif 000007